(57)【要約】【課題】宅配用の保冷ボックスを回収して再利用する際に、剥がす手間の掛からない便利な開封検知ラベルを提供する。【解決手段】開封検知ラベル１は、ラベル基材２と、ラベル基材２の表面に擬似接着層７を介して貼付された剥離シール３と、ラベル基材２の裏面に粘着層８を介して貼付された剥離紙４とから構成され、剥離シール３がラベル基材２から剥離されることにより開封検知部として機能し、ラベル基材２がその表面に印刷された情報５により金銭的価値を有する券として機能するようにした。【選択図】図２
2010256406.tif 000002
【特許請求の範囲】
【請求項１】
ラベル基材と、ラベル基材の表面に擬似接着層を介して貼付された剥離シールと、ラベル基材の裏面に粘着層を介して貼付された剥離紙とから構成され、
剥離シールがラベル基材から剥離されることにより開封検知部として機能し、ラベル基材がその表面に印刷された情報により金銭的価値を有する券として機能することを特徴とする開封検知ラベル。
【請求項２】
少なくともラベル基材の周縁の一部に、剥離紙を剥離し易くする易剥離部が設けられていることを特徴とする請求項１に記載の開封検知ラベル。
【請求項３】
ラベル基材よりも剥離シールの方が大きく形成され、剥離シールによってラベル基材が完全に隠蔽されていることを特徴とする請求項１に記載の開封検知ラベル。
【請求項４】
ラベル基材に、ラベル基材自身を複数に分離する切り取り線が設けられていることを特徴とする請求項１に記載の開封検知ラベル。
【発明の詳細な説明】
【技術分野】
【０００１】
本発明は、被着体に貼付して封印した後、不正に開封された事実を検知するための開封検知ラベルに関する。
【背景技術】
【０００２】
従来、宅配業者が利用者の自宅に食材等を配達する宅配サービスが行なわれている。このサービスでは、利用者が不在であった場合に、宅配業者のドライバーが食材を入れた保冷ボックスを玄関先などの指定場所に置き、容器と蓋の境目に封印シールを貼り付けている。これにより、利用者の不在時に第三者が勝手に保冷ボックスを開けて中身を盗んだりいたずらするのを防止している。
【０００３】
このような用途に利用されるシールとして、例えば特許文献１に開示された開封防止シールが知られている。このシールは、半透明のフィルムの表面に紙を圧着した２層構造になっており、シールを貼付した後で容器の蓋を無理に開けようとすると、表面の紙が破れて開封を検知できるようにしたものである。ところで、このシールは開封検知機能を有しているものの、開封した後の容器に半透明のフィルムが貼り付いたまま残された状態になってしまう。しかし、保冷ボックスは宅配業者により後日回収されて再利用されるため、容器にフィルム等が残っていると宅配業者がこれを剥がす必要があり、その作業が面倒であるという問題があった。
【先行技術文献】
【特許文献】
【０００４】
【特許文献１】実用新案登録第３０７５７３８号公報
【発明の概要】
【発明が解決しようとする課題】
【０００５】
本発明はこのような事情に鑑みてなされたもので、その解決しようとする課題は、開封検知機能を備えた開封検知ラベルであって、特に、被着体を回収して再利用するのに好適な開封検知ラベルを提供することにある。
【課題を解決するための手段】
【０００６】
上記の課題を解決するために、本発明の開封検知ラベルは、ラベル基材と、ラベル基材の表面に擬似接着層を介して貼付された剥離シールと、ラベル基材の裏面に粘着層を介して貼付された剥離紙とから構成され、剥離シールがラベル基材から剥離されることにより開封検知部として機能し、ラベル基材がその表面に印刷された情報により金銭的価値を有する券として機能することを特徴とする。
【０００７】
ここで、金銭的価値を有する券としては、例えばクーポン券、割引券、優待券、無料プレゼント券、金券、商品券、コレクションとして取引の対象となる絵柄や図形を表示した券などを含み、更に、これらの券を複数に分割してパズルとしたときの当該パズルの１ピースを表示した券を含む。また、これらの券はあくまで例示であり、金銭的価値を有するものであれば商品や役務の広告その他の情報を表示したものであっても良い。
【０００８】
また、本発明の開封検知ラベルにおいて、少なくともラベル基材の周縁の一部に、剥離紙を剥離し易くする易剥離部が設けられていると良い。易剥離部の構成としては、粘着層の粘着面をニスや印刷インキで被覆する構成や、ラベル基材に粘着剤を塗布しない非塗布部を設ける構成や、ラベル基材に剥離剤を塗布した剥離層を設ける構成を採用することができる。
【０００９】
また、本発明の開封検知ラベルにおいて、ラベル基材よりも剥離シールの方が大きく形成され、剥離シールによってラベル基材が完全に隠蔽されていれば、開封検知ラベルを被着体に貼り付けた状態の時に、金銭的価値を有する券が外部から見えなくなるので好ましい。
【００１０】
更に、本発明の開封検知ラベルにおいて、ラベル基材に、ラベル基材自身を複数に分離する切り取り線が設けられていると、剥離シールを部分的に剥がしてラベル基材を剥がし取ろうとしても途中で分断されるので、金銭的価値を有する券だけを剥がし取ろうとする悪質な行為を防ぐことができる。
【発明の効果】
【００１１】
本発明によれば、被着体に貼付した開封検知ラベルを剥がそうとすると、必ず剥離シールがラベル基材から剥離されるので、剥離シールが無い場合には不正に開封されたことを確認することができる。また、剥離シールを剥離した後にラベル基材が現れるが、このラベル基材は金銭的価値を有する券になっており、利用者に積極的に剥がし取ってもらうようにしたので、被着体を回収して再利用する際にラベルを剥がす手間が掛からず便利である。
【図面の簡単な説明】
【００１２】
【図１】本発明の開封検知ラベルの外観図であり、その一部を破断して示したものである。
【図２】図１のＡ−Ａ線断面図である。
【図３】開封検知ラベルを被着体に貼付した時の状態を示す説明図であり、（ａ）はその外観図、（ｂ）はその断面図である。
【図４】被着体に貼付された開封検知ラベルから剥離シールを剥がした後の状態を示す説明図であり、（ａ）はその外観図、（ｂ）はその断面図である。
【図５】被着体に残されたラベル基材を剥がす時の状態を示す説明図であり、（ａ）はその外観図、（ｂ）はその断面図である。
【図６】被着体に貼付された開封検知ラベルについて剥離シールを半分剥がしてラベル基材を剥がそうとした時の状態を示す説明図であり、（ａ）はその外観図、（ｂ）はその断面図である。
【発明を実施するための形態】
【００１３】
以下、本発明を実施するための形態について、図面を参照しながら説明する。
【００１４】
--------------------------------  概略構成  ------------------------------------
図１は本発明の開封検知ラベルを宅配サービスで使用する封印シールに適用した例を示している。この封印シールは、宅配業者のドライバーが利用者の自宅に食材を配達した時に、不在であれば食材を入れた保冷ボックスに貼り付けておくことにより、利用者以外の第三者が勝手に保冷ボックスを開けないように封印するためのものである。本実施形態ではドライバーによる使用時の作業効率を考慮して、所定サイズの連続用紙の上に、短冊形に形成した複数枚の開封検知ラベル１，１，…が連接して設けられている。また、各々の開封検知ラベル１は、図２に示すようにラベル基材２と剥離シール３と剥離紙４から構成された３層構造になっている。以下その各部の構成を詳細に説明する。
【００１５】
--------------------------------  ラベル基材  ----------------------------------
ラベル基材２は、保冷ボックスに貼り付けた後利用者に剥がしてもらえるように、その表面に印刷された情報により金銭的価値を有する券として機能する部分である。本実施形態では金銭的価値を有する券の一例として、ラベル基材２それ自体がクーポン券になっている。ラベル基材２の素材は印刷可能なものであれば特に限定されず、例えば上質紙、アート紙、コート紙等の各種紙類や、ポリエステルフィルム、ポリプロピレンフィルム等の各種樹脂フィルムを使用することができる。ラベル基材２の表面にはクーポン券に必要な情報５として、ここでは宅配サービスの利用金額に応じて獲得できるポイント情報が印字されている。なお、印字するポイント数をラベル毎に変えて、いわゆるクジのように利用しても良い。
【００１６】
また、ラベル基材２には、ラベル基材２自身を複数に分離するための切り取り線６が設けられている。この切り取り線６を設けた理由は、クーポン券だけを剥がし取ろうとするのを防ぐためである。本実施形態では、ラベル基材２を剥がそうとした時に１枚のクーポン券が２枚に分断されるように、クーポン券の中央にラベル基材２の表面から剥離紙４の表面まで到達する深さでカットしたスリットが形成されている。なお、切り取り線６の形態は、スリットに代えてミシン目やハーフカットにすることもできる。
【００１７】
--------------------------------  剥離シール  ----------------------------------
剥離シール３は、ラベル基材２から剥離されることにより、保冷ボックスが開封されたこと検知する開封検知部として機能する部分である。本実施形態では剥がした後に再度貼り付けることを禁止するため、剥離シール３はラベル基材２に擬似接着されている。剥離シール３もまた印刷可能なものであればその素材は限定されず、ラベル基材２と同じものを使用することができる。ただし、ラベル基材２のクーポン券全体を完全に隠蔽するように、剥離シール３の縦横寸法がラベル基材２のそれよりもひと回り大きいサイズに形成されている。
【００１８】
また、剥離シール３を擬似接着する構成として、剥離シール３は擬似接着層７を介してラベル基材２の表面に貼付されている。擬似接着層７は、例えば天然ゴム系あるいは合成ゴム系の感圧糊等からなる擬似接着剤を塗布して形成することができる。なお、擬似接着層７は剥離した後再貼付できないものであれば良く、上記の擬似接着剤を塗布する構成に代えて、透明樹脂フィルム同士を熱圧着した、いわゆるオープンタイプフィルムにより構成しても良い。
【００１９】
--------------------------------  剥離紙  --------------------------------------
剥離紙４は、使用時までラベルを保持するための台紙として機能する部分である。ラベル基材２の裏面には粘着層８が設けられており、剥離紙４はこの粘着層８の粘着面に剥離可能に貼付されている。ここで、粘着層８はゴム系、アクリル系、ホットメルト系、シリコーン系等の各種粘着剤をラベル基材２の裏面に塗布して形成されるが、この中でも特に紙タックに使用されるアクリル系エマルジョン型粘着剤が好適である。ただし、その粘着剤は、クーポン券を保冷ボックスから剥がした後専用台紙に貼り付けられるように、接着力が再剥離再貼付タイプのものを使用する。剥離紙４は、その表面全体にシリコーン系剥離剤が塗布されており、保管時には粘着面を保護し、使用時にラベル基材２から剥離される。なお、使用時の作業性を考慮して、剥離紙４は剥離シール３よりも大きいサイズになっている。
【００２０】
また、剥離紙４をラベル基材２からより剥離し易くするため、少なくともラベル基材２の周縁の一部に剥離する時の切っ掛けとなる易剥離部９が設けられているのが好ましい。本実施形態では、ラベル基材２の両端部において、粘着層８の接着力を封じる、いわゆる糊殺し加工が施されている。つまり剥離紙４の表面にニスや印刷インキを塗布した後ラベル基材２に貼り合わせることにより、粘着層８の上にニスや印刷インキを転写させて粘着面を被覆してある。なお、易剥離部９の構成としては、粘着層８の粘着面を被覆するもののほか、ラベル基材２に粘着剤を塗布しない非塗布部（図示略）を設ける構成や、ラベル基材２に剥離剤を塗布した剥離層（図示略）を設ける構成を採用しても良い。
【００２１】
--------------------------------  使用方法  ------------------------------------
以上が本発明の開封検知ラベル１の構成であるが、以下にその使用方法を説明する。宅配業者のドライバーが利用者の自宅に食材を配達した時、利用者が不在の場合に食材を保冷ボックス１０の容器１１に入れ、図３に示すように容器１１と蓋１２の境目に開封検知ラベル１を貼付して封印する。このとき、ラベルの裏側の剥離紙４を剥がし取ってから貼付するが、ラベル基材２の両端には剥離時の切っ掛けとなる易剥離部９，９が設けられているので、ラベルの上下どちらからでも簡単に剥離紙４を剥がすことができる。このため、ドライバーが開封検知ラベル１を貼り付ける際に、手袋をしたままでも作業することができて取り扱いが簡単である。また、貼付された開封検知ラベル１は、ラベル基材２が剥離シール３によって完全に隠蔽されているため、保冷ボックス１０を外部から見てクーポン券が貼られていることを悟られる心配はない。
【００２２】
ところで、保冷ボックス１０に貼付された開封検知ラベル１からラベル基材２と剥離シール３を同時に剥がせてしまうと、保冷ボックス１０を開封した後でも再度貼り付けることができるので好ましくない。その点、本実施形態では図４に示すようにラベル基材２よりも剥離シール３の方が大きいため、剥がす際には必ず剥離シール３を指で摘むことになる。しかも擬似接着層７の接着力は粘着層８の接着力よりも小さいことから、保冷ボックス１０から開封検知ラベル１を剥がそうとすると、剥離シール３が先にラベル基材２から剥離される。したがって、利用者が保冷ボックス１０を開封して中身を取り出す時に、図のように保冷ボックス１０に剥離シール３が無い場合には誰かに不正に開封されたことが分かるようになっている。
【００２３】
一方、保冷ボックス１０から剥離シール３を剥がすと、そこに残されたラベル基材２からなるクーポン券が現れるので、利用者は、図５に示すように保冷ボックス１０からクーポン券を剥がし取る。このとき、ラベル基材２は粘着層８を介して剥離可能に貼り付いており、ラベル基材２の両端には剥離時の切っ掛けとなる易剥離部９が設けられているため、上下どちらからでも簡単にクーポン券を剥がすことができ、剥がした後の保冷ボックス１０には糊残りもない。また、剥がしたクーポン券は裏面の粘着層８によって再貼付が可能であるため、利用者は予め配布された専用台紙にクーポン券を貼り付けて収集し、溜まったポイント数に応じて各種サービスを受けたり商品と交換したりすることができる。このように、剥離シール３を剥がすと保冷ボックス１０に残ったラベル基材２がクーポン券になっていて各利用者に剥がしてもらえるので、宅配業者は、保冷ボックス１０を回収して再利用する際に、保冷ボックス１０からラベルを剥がす手間が省けて便利である。
【００２４】
なお、保冷ボックス１０に貼付された開封検知ラベル１は、図６に示すように剥離シール３を半分だけ剥がした状態でクーポン券を剥がし取ろうとすると、ラベル基材２の中央に設けられたスリットによってクーポン券が２枚に分断されてしまう。更には、分断されたクーポン券を２枚とも剥がし取ってしまうと、残された剥離シール３は裏面の擬似接着層７によって再貼付することができないので、保冷ボックス１０に開封検知ラベル１を元通りの状態に戻すことは不可能である。したがって、本実施形態の開封検知ラベル１によれば、保冷ボックス１０からクーポン券だけを剥がし取ろうとする悪質な行為も防止することができる。
【００２５】
--------------------------------  その他  --------------------------------------
以上の実施形態では、開封検知ラベル１を封印シールに適用した例について説明したが、本発明の用途はこれに限られず、開封検知ラベル１を剥がした後の被着体を回収する用途のものであれば同様に適用することができる。また、ラベル基材２の機能については、金銭的価値を有する券であればクーポン券に限られない。例えば割引券、優待券、無料プレゼント券、金券、商品券、コレクションとして取引の対象となる絵柄や図形を表示した券のほか、これらの券を複数に分割したパズルにしてその１ピースを表示した券でも良く、商品や役務の広告その他の情報を表示したものであっても良い。
【符号の説明】
【００２６】
１…開封検知ラベル
２…ラベル基材
３…剥離シール
４…剥離紙
５…情報
６…切り取り線
７…擬似接着層
８…粘着層
９…易剥離部
１０…保冷ボックス
１１…容器
１２…蓋
【図１】
2010256406.tif 000003
【図２】
2010256406.tif 000004
【図３】
2010256406.tif 000005
【図４】
2010256406.tif 000006
【図５】
2010256406.tif 000007
【図６】
2010256406.tif 000008